(57)【要約】【課題】  ウェットティッシュを取り出し孔に挿通する作業を簡単に行うことができ、容易にウェットティッシュを引き出し可能な状態とすることができるウェットティッシュ収納容器をる。【解決手段】  ウェットティッシュＰのロール体を収納する容器本体１と、該容器本体１の開口部２を閉塞するように着脱自在に取り付けられる蓋体３とを備えたウェットティッシュ収納容器であって、蓋体３は、天板５に穿設されたウェットティッシュ挿通孔６と、ウェットティッシュ挿通孔６を囲むようにして天板下面に突設され、内部に可撓性を有する口栓８が装着される口栓支持壁９とを備え、口栓８は、非円形状に形成され、ウェットティッシュＰを引き出す引き出し孔１７を有し、その側面から引き出し孔１７にかけてスリット部１８を形成し、口栓支持壁９は、非円形状に形成され、周方向の一部の領域に切欠部２０を設けた。【選択図】図５
2020147378.tif 000002
【特許請求の範囲】
【請求項１】
上端部に開口部を有し、ウェットティッシュのロール体を収納する容器本体と、該容器本体の開口部を閉塞するように着脱自在に取り付けられる蓋体とを備えたウェットティッシュ収納容器であって、
前記蓋体は、天板を有するとともに下端部が開放された形状をなし、前記天板に穿設されたウェットティッシュ挿通孔と、該ウェットティッシュ挿通孔を開閉自在に覆う小蓋と、前記ウェットティッシュ挿通孔を囲むようにして天板下面に突設され、内部に可撓性を有する口栓が装着される口栓支持壁とを備え、
前記口栓は、非円形状に形成され、ウェットティッシュを引き出す引き出し孔を有し、その側面から前記引き出し孔にかけてスリット部が形成され、
前記口栓支持壁は、非円形状に形成され、周方向の一部の領域に切欠部が設けられていることを特徴とするウェットティッシュ収納容器。
【請求項２】
前記口栓を前記口栓支持壁内に装着した状態において、前記口栓支持壁の中心点Ｃに対して、前記スリット部の外側の一端と内側の他端を結ぶ直線Ｌ１の位置を０度としたときに、前記切欠部の幅は、＋３０〜＋１６０度、及び／又は−３０〜−１６０度の範囲内であり、前記切欠部を画成する前記口栓支持壁の両端縁のうち、一方の端縁と前記中心点Ｃを結ぶ直線Ｌ２と、他方の端縁と前記中心点Ｃを結ぶ直線Ｌ３とのなす角度θが３０〜１２０度に形成されていることを特徴とする請求項１に記載のウェットティッシュ収納容器。
【発明の詳細な説明】
【技術分野】
【０００１】
本発明は、ウェットティッシュのロール体を収納して、ウェットティッシュを１枚ずつ引き出しできるようにしたウェットティッシュ収納容器に関するものである。
【背景技術】
【０００２】
従来より、長手方向に所定の間隔で易切断部が形成されたウェットティッシュのロール体を収納する容器本体と、該容器本体の開口部を閉塞するよう着脱自在に取り付けられる蓋体とを備え、蓋体にウェットティッシュを引き出す引き出し孔を設け、この引き出し孔とウェットティッシュとの摩擦抵抗によって易切断部が切断されることにより、ウェットティッシュを１枚ずつ取り出せるようにしたウェットティッシュ収納容器が広く知られている。
【０００３】
このようなウェットティッシュ収納容器においては、ウェットティッシュを引き出し可能な状態とする際、ウェットティッシュを引き出し孔に挿通する作業が必要となるが、ウェットティッシュは引き出し孔との摩擦抵抗によって易切断部が切断されるようになっているため、引き出し孔は内径がかなり小径になっている。
そのため、この小径の引き出し孔にウェットティッシュを挿通するには、先の尖った道具を使ってウェットティッシュを引き出し孔に押し込むなどの作業が必要となり、ウェットティッシュを引き出し可能な状態とする際に、非常に煩わしい作業を要するといった問題があった。
【０００４】
このような問題を解消するものとして、蓋体の天板下面に突設された口栓支持壁の内部に、外端面から引き出し孔にかけてスリット部が形成された可撓性を有する口栓を着脱可能に装着したウェットティッシュ収納容器が提案されており（例えば、特許文献１，２参照。）、これらウェットティッシュ収納容器は、口栓支持壁内に装着された口栓を取り外し、口栓のスリット部の両側を摘んでスリット部を広げ、ウェットティッシュを引き出し孔に通した後、その口栓を口栓支持壁内に装着することにより、ウェットティッシュを引き出し可能な状態とするようになっている。
【先行技術文献】
【特許文献】
【０００５】
【特許文献１】特開２００８−７４４５７号
【特許文献２】特開２０１０−２８０４３１号
【発明の概要】
【発明が解決しようとする課題】
【０００６】
しかしながら、特許文献１，２に記載のウェットティッシュ収納容器あっては、口栓支持壁内に装着された口栓が容器本体内に脱落しないように、口栓が口栓支持壁内に圧入して取り付けられているため、口栓支持壁内から口栓を取り外すのに強い力を必要とし、口栓を取り外す作業が非常に困難であり、依然としてウェットティッシュを取り出し孔に挿通する作業が面倒であるといった問題があった。
【０００７】
そこで、本願発明の目的は、ウェットティッシュを取り出し孔に挿通する作業を簡単に行うことができ、容易にウェットティッシュを引き出し可能な状態とすることができるウェットティッシュ収納容器を提供することにある。
【課題を解決するための手段】
【０００８】
上記の目的を達成するために、請求項１に記載の発明は、上端部に開口部を有し、ウェットティッシュのロール体を収納する容器本体と、該容器本体の開口部を閉塞するように着脱自在に取り付けられる蓋体とを備えたウェットティッシュ収納容器であって、前記蓋体は、天板を有するとともに下端部が開放された形状をなし、前記天板に穿設されたウェットティッシュ挿通孔と、該ウェットティッシュ挿通孔を開閉自在に覆う小蓋と、前記ウェットティッシュ挿通孔を囲むようにして天板下面に突設され、内部に可撓性を有する口栓が装着される口栓支持壁とを備え、前記口栓は、非円形状に形成され、ウェットティッシュを引き出す引き出し孔を有し、その側面から前記引き出し孔にかけてスリット部が形成され、前記口栓支持壁は、非円形状に形成され、周方向の一部の領域に切欠部が設けられていることを特徴とする。
【０００９】
請求項２に記載の発明は、請求項１に記載の、前記口栓を前記口栓支持壁内に装着した状態において、前記口栓支持壁の中心点Ｃに対して、前記スリット部の外側の一端と内側の他端を結ぶ直線Ｌ１の位置を０度としたときに、前記切欠部の幅は、＋３０〜＋１６０度、及び／又は−３０〜−１６０度の範囲内であり、前記切欠部を画成する前記口栓支持壁の両端縁のうち、一方の端縁と前記中心点Ｃを結ぶ直線Ｌ２と、他方の端縁と前記中心点Ｃを結ぶ直線Ｌ３とのなす角度θが３０〜１２０度に形成されていることを特徴とする。
【発明の効果】
【００１０】
請求項１に記載のウェットティッシュ収納容器によれば、内部に口栓が装着される口栓支持壁の周方向の一部の領域に切欠部が設けられているので、切欠部の分だけ口栓支持壁の内面と口栓の側面との接触面積が少なくなる。これにより、口栓支持壁の内面と口栓の側面との摩擦力が低減するため、口栓支持壁内に装着された口栓を容易に取り外すことができる。そして、口栓支持壁内から取り外した口栓のスリット部の両側を摘んでスリット部を広げ、拡径した引き出し孔にウェットティッシュを通した後、口栓を口栓支持壁内に装着することにより、容易にウェットティッシュを引き出し可能な状態とすることができる。
また、口栓は、非円形状に形成され、そして、口栓支持壁は、非円形状に形成されているので、口栓支持壁内から取り外した口栓の引き出し孔にウェットティッシュを通すためにスリット部を広げる際に、口栓のスリット部の一方の口栓端部を口栓支持壁内に保持させた状態で、他方の口栓端部を摘まんでスリット部を広げるようにしても口栓支持壁内に保持した一方の口栓端部が他方の口栓端部に追従して移動することが防止できるので、一方の口栓端部を指で押さえる必要がなく、ウェットティッシュを引き出し孔に挿通する作業を簡単に行うことができる。
【００１１】
請求項２に記載のウェットティッシュ収納容器によれば、口栓を口栓支持壁内に装着した状態において、口栓支持壁の中心点Ｃに対して、スリット部の外側の一端と内側の他端を結ぶ直線Ｌ１の位置を０度としたときに、切欠部の幅は、＋３０〜＋１６０度、及び／又は−３０〜−１６０度の範囲内であり、切欠部を画成する口栓支持壁の両端縁のうち、一方の端縁と中心点Ｃを結ぶ直線Ｌ２と、他方の端縁と中心点Ｃを結ぶ直線Ｌ３とのなす角度θが３０〜１２０度に形成されているので、口栓が口栓支持壁内に取り付けられた状態で、スリット部を挟んで対向する口栓端部のうち、一方の口栓端部を口栓支持壁内に保持しつつ、他方の口栓端部を口栓支持壁内から取り外し、他方の口栓端部を摘まんでスリット部が拡開するようにして撓ませ、この撓ませた他方の口栓端部を切欠部に挿入して、他方の口栓端部を口栓支持壁の端縁に係止させることができる。これにより、口栓の引き出し孔が拡径するとともに、他方の口先端部を撓ませた部分からウェットティッシュ挿通孔が露出するので、ウェットティッシュを簡単に引き出し孔とウェットティッシュ挿通孔に挿通することができ、容易にウェットティッシュを引き出し可能な状態とすることができる。
【図面の簡単な説明】
【００１２】
【図１】本発明に係るウェットティッシュ収納容器の一例を示す斜視図である。
【図２】ウェットティッシュ収納容器の断面図である。
【図３】蓋体の下面を示す分解斜視図である。
【図４】口栓を装着した口栓支持壁を示す正面拡大説明図である。
【図５】口栓を装着した口栓支持壁の他例を示す正面拡大図である。
【図６】口栓にウェットティッシュを挿通する際の説明図である。
【図７】口栓にウェットティッシュを挿通させた使用状態を示す斜視図である。
【図８】口栓端部を口栓支持壁の端縁に係止させた状態を示す正面拡大図である。
【発明を実施するための形態】
【００１３】
以下、本発明に係るウェットティッシュ収納容器の実施の形態を、図面を参照して詳細に説明する。
本例のウェットティッシュ収納容器は、ウェットティッシュＰのロール体を収納する容器本体１と、該容器本体１の開口部２を閉塞するよう着脱自在に取り付けられる蓋体３とで構成されている（図１，図２）。容器本体１に収納されるウェットティッシュＰのロール体は、長手方向に所定の間隔で易切断部が形成されており、紙や不織布等の基布に予め化粧水やアルコール成分を含む薬液が含浸されている。
【００１４】
容器本体１は、上端部に開口部２を有する有底円筒状であって、容器本体１の上端部の外周面には、周方向に沿って雄ねじ部４が形成されている。容器本体１は、ポリプロピレン、ポリエチレン、ポリ塩化ビニル、ＡＢＳ樹脂等の熱可塑性樹脂を用いて射出成形等により成型される。
【００１５】
蓋体３は、天板５に穿設されたウェットティッシュ挿通孔６と、該ウェットティッシュ挿通孔６を開閉自在に覆う小蓋７と、天板５の下面に突設され、内部に口栓８が装着される口栓支持壁９とを備えている。
【００１６】
蓋体３は、下端部が開放された円筒状であって、その下端部の内周面には、周方向に沿って、容器本体１の雄ねじ部４と螺合する雌ねじ部１０が形成され、容器本体１の開口部２に着脱自在に嵌着するようになっている。蓋体３は、ポリプロピレン、ポリエチレン、ポリ塩化ビニル、ＡＢＳ樹脂等の熱可塑性樹脂を用いて射出成形等により成型される。
【００１７】
蓋体３の天板５には、頂面部１１の中央に頂面部１１より一段低くなった段下げ面部１２が形成されている。段下げ面部１２には、円形状の囲繞壁１３が立設され、囲繞壁１３の内側には、中央に円形状のウェットティッシュ挿通孔６が穿設されている。
【００１８】
ウェットティッシュ挿通孔６は口栓８により閉塞されており、ウェットティッシュ挿通孔６の大きさは、ウェットティッシュ挿通孔６に指先を押し入れることができるサイズとなっている。具体的には、直径が１〜２ｃｍの範囲とするのが良好である。
【００１９】
また、蓋体３の天板５には、天板５を深く陥没してなる指差し入れ凹部１４が段下げ面部１３と段差を持った状態で連続して形成されており、この指差し入れ凹部１４は、上り傾斜部分を介して蓋体３の外周壁まで連続するように形成されている。
【００２０】
蓋体３の指差し入れ凹部１４の反対側となる部分には、小蓋７が連設されており、小蓋７には、囲繞壁１３を挟むようにして緊密に嵌り合い、囲繞壁１３内を気密状態とする２重の嵌合壁１５が形成されている。小蓋７を閉じることにより、囲繞壁１３に嵌合壁１５が緊密に嵌り合い、囲繞壁１３内が気密状態となることで、容器本体１に収容されたウェットティッシュＰの乾燥を防ぐことが可能となる。
【００２１】
天板５の下面には、ウェットティッシュ挿通孔６を囲むようにして口栓支持壁９が突設されており、口栓支持壁９の下端内周には、口栓８を係止して支持する突起１６が設けられている。
【００２２】
口栓支持壁９の内部（口栓支持壁９で囲まれた領域）には、ウェットティッシュ挿通孔６を閉塞するよう口栓８が嵌着されている。
口栓８は、ウェットティッシュを引き出す引き出し孔１７を有し、その側面から引き出し孔１７にかけてスリット部１８が形成されている。スリット部１８は、口栓８が口栓支持壁９内に取り付けられた状態では、スリット部１８が閉じて引き出し孔１７を閉鎖状態とするように形成されている。
【００２３】
口栓８は、可撓性を有する弾性材からなり、スリット部１８を挟んで対向する口栓端部１９の両側を摘んで、スリット部１８を容易に広げられる硬さとなっている。具体的には、口栓８の硬さは、ショアー硬さで４０Ａ〜７０Ａとするのが良好である。
口栓８の材料としては、例えばシリコンゴム、ブタジエンゴム、エチレンプロピレンゴム、スチレン系ゴム、ポリエチレンテレフタレート系ゴム、ウレタンゴムの内のいずれかの単体、若しくはこれら二種以上の複合材料を用いることができ、特に、耐久性や耐薬品性の観点からシリコンゴムが望ましい。
【００２４】
本例では、口栓８は、円盤状に形成されているが、口栓８の形状は特に限定されず、口栓支持壁９の形状に応じて適宜変更される。また、本例では、スリット部１８は、直線状に形成されているが、湾曲状やへの字状であってもよく、口栓８を蓋体口栓支持壁９内に取り付けたときに、スリット部１８が閉鎖されるものであればよい。
【００２５】
そして、本発明では、内部に口栓８が装着される口栓支持壁９には、周方向の一部の領域に切欠部２０が設けられている（図３）。切欠部２０の大きさは口栓８に対する係止度合いに関連し、切欠部２０が大きくなるほど、口栓８に対する係止度合いが低下する。切欠部２０の大きさは特に限定されないが、通常の使用で口栓８が脱落することがなく、かつ、ウェットティッシュ挿通孔６に上方から指先を押し入れて、口栓８を容易に取り外すことができる大きさとなっている。
【００２６】
具体的には、切欠部２０は、口栓８を口栓支持壁９内に装着した状態において、口栓支持壁９の中心点Ｃに対して、スリット部１８の外側の一端１８ａと内側の他端１８ｂを結ぶ直線Ｌ１の位置を０度としたときに、口栓支持壁９の端縁２１で画成される周方向の幅（一方の端縁２１ａと他方の端縁２１ｂとの間）が、＋３０〜＋１６０度、及び／又は−３０〜−１６０度の範囲内であり、切欠部２０を画成する口栓支持壁９の両側の端縁２１のうち、一方の端縁２１ａと中心点Ｃを結ぶ直線Ｌ２と、他方の端縁２１ｂと中心点Ｃを結ぶ直線Ｌ３とのなす角度θが３０〜１２０度に形成するのが好ましい（図４）。本例では、切欠部２０は、周方向の幅が＋７０〜＋１４０度であり、直線Ｌ１と直線Ｌ２とのなす角度θが７０度に形成されている。
【００２７】
本例では、正面から見た口栓支持壁９の形状が円形状となっているが、口栓支持壁９の形状が非円形状、例えば、楕円形状や多角形状のものでもよく、図５に示すように、ハート形状のものであってもよい。このように、口栓支持壁９を非円形状とすることにより、一方の口栓端部１９ａを口栓支持壁９内に保持しつつ、他方の口栓端部１９ｂを摘まんでスリット部１８を広げるようにして撓ませたとき、口栓支持壁９内に保持した一方の口栓端部１９ａが他方の口栓端部１９ｂに追従して移動することを防止することができるので、他方の口栓端部１９ｂを口栓支持壁９の端縁２１に係止させる作業を容易に行うことができ、ひいては、ウェットティッシュＰを引き出し孔１７に挿通する作業を簡単に行うことができる。
【００２８】
また、本例では、切欠部２０は口栓支持壁９の周方向に１箇所設けられているが、切欠部２０を周方向に複数箇所設けてもよく、図５に示すように、切欠部２０を口栓支持壁９の周方向に２箇所設けてもよい。
【００２９】
切欠部２０の形成方法については、環状の口栓支持壁９を成形した後、口栓支持壁９の一部を切除して切欠部２０を形成してもよいし、最初から切欠部２０が設けられた状態で口栓支持壁９を蓋体３とともに一体形成してもよい。
【００３０】
このように構成された本例のウェットティッシュ収納容器において、ウェットティッシュＰを引き出し可能な状態とするには、次のように行う。
まず、容器本体１に螺嵌された蓋体３を回転させて容器本体１から外し、蓋体３の小蓋７を開けて、ウェットティッシュ挿通孔６を開放状態にする。次に、ウェットティッシュ挿通孔６に上方から指先を押し入れて、口栓支持壁９内に装着されている口栓８を取り外す。
【００３１】
このとき、口栓支持壁９には、周方向の一部の領域に切欠部２０が設けられているので、切欠部２０の分だけ口栓支持壁９の内面と口栓８の側面との接触面積が少なくなり、これにより、口栓支持壁９の内面と口栓８の側面との摩擦力が低減するため、口栓支持壁９内に装着された口栓８を容易に取り外すことができる。そして、口栓支持壁９から取り外した口栓８のスリット部１８の両側の口栓端部１９ａ，１９ｂを摘んでスリット部１８を広げ、拡径した引き出し孔１７にウェットティッシュＰを挿通し（図６）、この口栓８を口栓支持壁９内に装着して、ウェットティッシュＰを引き出し可能な状態とする（図７）。
【００３２】
このように、本例によれば、口栓支持壁９の周方向の一部の領域に設けられた切欠部２０により、口栓支持壁９内に装着された口栓８を容易に取り外すことができるので、ウェットティッシュＰを引き出し孔１７に挿通する作業を簡単に行うことができ、容易にウェットティッシュＰを引き出し可能な状態とすることができる。
【００３３】
また、他の方法としては、容器本体１から蓋体３を外し、口栓８が口栓支持壁９内に取り付けられた状態で、スリット部１８を挟んで対向する口栓端部１９のうち、一方の口栓端部１９ａを口栓支持壁９内に保持しつつ、他方の口栓端部１９ｂを口栓支持壁９内から取り外し、他方の口栓端部１９ｂを摘まんでスリット部１８を広げるようにして撓ませ、この撓ませた他方の口栓端部１９ｂを切欠部２０に挿入し、他方の口栓端部１９ｂを口栓支持壁９の端縁２１に係止させる（図８）。これにより、口栓８の引き出し孔１７が拡径するとともに、他方の口先端部１９ｂを撓ませた部分からウェットティッシュ挿通孔６が露出するので、ウェットティッシュＰを引き出し孔１７からウェットティッシュ挿通孔６へ通した後、口栓支持壁９の端縁２１に係止されている他方の口栓端部１９ｂを口栓支持壁９内に戻して引き出し孔１７を閉塞し、ウェットティッシュＰを引き出し可能な状態とする（図７）。
【００３４】
このように、本例によれば、図８に示すように、一方の口栓端部１９ａを口栓支持壁９内に保持しつつ、他方の口栓端部１９ｂを切欠部２０に挿入して口栓支持壁９の端縁２１に係止させることにより、口栓８の引き出し孔１７が拡径するとともに、他方の口先端部１９ｂを撓ませた部分からウェットティッシュ挿通孔６が露出するので、ウェットティッシュＰを簡単に引き出し孔１７とウェットティッシュ挿通孔６に挿通することができ、容易にウェットティッシュＰを引き出し可能な状態とすることができる。
【符号の説明】
【００３５】
１  容器本体
２  開口部
３  蓋体
４  雄ねじ部
５  天板
６  ウェットティッシュ挿通孔
７  小蓋
８  口栓
９  口栓支持壁
１０  雌ねじ部
１１  頂面部
１２  段下げ面部
１３  囲繞壁
１４  指差し入れ凹部
１５  嵌合壁
１６  突起
１７  引き出し孔
１８  スリット部
１８ａ  一端，１８ｂ  他端
１９  口栓端部
１９ａ  一方の口栓端部，１９ｂ  他方の口栓端部
２０  切欠部
２１  端縁
２１ａ  一方の端縁，２１ｂ  他方の端縁
Ｐ  ウェットティッシュ
【図１】
2020147378.tif 000003
【図２】
2020147378.tif 000004
【図３】
2020147378.tif 000005
【図４】
2020147378.tif 000006
【図５】
2020147378.tif 000007
【図６】
2020147378.tif 000008
【図７】
2020147378.tif 000009
【図８】
2020147378.tif 000010